(57)【要約】【課題】室内の人の居る場所や動作の種類を判断し吹出し気流のルーバー制御を行うことで使用環境に合わせた効率の良い集塵運転をおこなうことができる空気清浄機を提供することを目的としている。【解決手段】サーモパイル８とサーミスタ７の検知信号から温度差ΔＴを算出し、このΔＴから検知エリア内の人の存在と動作の種類を判断しルーバー６の動作を制御することにより、使用環境に合わせた効率の良い集塵運転をおこなうことができる空気清浄機が得られる。【選択図】図１
2012154526.tif 000002
【特許請求の範囲】
【請求項１】
吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段と、前記排気口から室内に排気される気流を制御するルーバーと、本体ケース周辺の温度を検出するサーミスタと、少なくとも４つ以上の検知エリアを有し各検知エリアの温度を計測する熱起電力型温度センサと、前記ルーバーの動作を制御する制御部を備えた空気清浄機において、前記制御部は前記熱起電力型温度センサの検知信号と前記サーミスタの検知信号とから温度差ΔＴを算出し、このΔＴから前記熱起電力型温度センサの検知エリア内の人の存在と動作の種類を判断し前記ルーバーの動作を制御することを特徴とする空気清浄機。
【請求項２】
室内の状態を検出する室内状態モニタ手段を備え、制御部は前記室内状態モニタ手段からの情報により、送風手段の風量を制御することを特徴とする請求項１記載の空気清浄機。
【請求項３】
室内状態モニタ手段として室内の広さを設定する畳数設定手段を備え、制御部は前記畳数設定手段の設定値によりΔＴを補正し、送風手段の風量を制御することを特徴とする請求項２記載の空気清浄機。
【請求項４】
室内状態モニタ手段として床面の状態を設定する床状態設定手段を備え、制御部は前記床状態設定手段の設定値により送風手段の風量を制御することを特徴とする請求項２記載の空気清浄機。
【請求項５】
室内状態モニタ手段として室内の明るさを検出する照度センサを備え、制御部は前記照度センサの検出信号により人の動作の種類を判断し、送風手段の風量を制御することを特徴とする請求項２記載の空気清浄機。
【請求項６】
制御部は照度センサの検出信号を明るさの変化から一定時間後に読み込み、人の動作の種類を判断し、送風手段の風量を制御することを特徴とする請求項５記載の空気清浄機。
【請求項７】
熱起電力型温度センサの各検知エリアのΔＴを表示する表示部を備えたことを特徴とする請求項１から６いずれか一項に記載の空気清浄機。
【請求項８】
表示部の色は、少なくとも３つ以上で表示することを特徴とする請求項７記載の空気清浄機。
【発明の詳細な説明】
【技術分野】
【０００１】
本発明は、一般家庭や事務所等で使用される空気清浄機に関するものである。
【背景技術】
【０００２】
従来、この種の空気清浄機は、人検知センサーを搭載して人の有無によって運転風量を大小させたものが知られている（例えば、特許文献１参照）。
【０００３】
以下、その空気清浄機について図１０および１１を参照しながら説明する。
【０００４】
図１０に示すように、前面に吸気グリル１０２、上面に吹き出しグリル１０３を配置し、吸気グリル１０２の本体１０１内に集塵フィルター１０４、さらにファンモーター１０５を備え、ファンモーター１０５の回転により吸気グリル１０２から吸い込まれた空気は集塵フィルター１０４で集塵され吹き出しグリル１０３より清浄された空気が吹き出される。
【０００５】
本体１０１の上面には操作部１０６と人検知部１０７が設けられており、また本体１０１の側面には空気汚れ検知部１０８が設けられている。制御部１０９は操作部１０６や人検知部１０７または空気汚れ検知部１０８からの入力によりファンモーター１０５の回転数を制御するものである。
【０００６】
上記構成において、図１１に示すように制御部１０９は１分間に人検知部１０７から検出される検知回数に基づいて、０回であればファンモーター１０５は停止、１回〜４回であればを風量弱運転、５回以上であれば風量強運転を開始する。
【先行技術文献】
【特許文献】
【０００７】
【特許文献１】特開平１−１６３５４６号公報
【発明の概要】
【発明が解決しようとする課題】
【０００８】
このような従来の空気清浄機では、人の検知回数だけで運転風量を決定し運転しているため、人の動作の種類が分からず汚れが発生していない場合に無駄な運転をおこなってしまうという課題を有していた。また人の居る場所が分からず室内全体に対して集塵運転をおこない運転時間が長くかかってしまうという課題を有していた。
【０００９】
そこで、本発明は、このような従来の課題を解決するものであり、室内の人の居る場所や動作の種類を判断した上で吹出し気流のルーバー制御を行うので使用環境に合わせた効率の良い集塵運転をおこなうことができる空気清浄機を提供することを目的としている。
【課題を解決するための手段】
【００１０】
本発明の空気清浄機は上記目的を達成するために、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段と、前記排気口から室内に排気される気流を制御するルーバーと、本体ケース周辺の温度を検出するサーミスタと、少なくとも４つ以上の検知エリアを有し各検知エリアの温度を計測する熱起電力型温度センサと、前記ルーバーの動作を制御する制御部を備えた空気清浄機において、前記制御部は前記熱起電力型温度センサの検知信号と前記サーミスタの検知信号とから温度差ΔＴを算出し、このΔＴから前記熱起電力型温度センサの検知エリア内の人の存在と動作の種類を判断し前記ルーバーの動作を制御するようにしたものである。
【００１１】
この手段により、室内の人の居る場所や動作の種類を判断した上で吹出し気流のルーバー制御を行うので使用環境に合わせた効率の良い集塵運転をおこなうことのできる空気清浄機が得られる。
【００１２】
また、本発明の空気清浄機は、室内の状態を検出する室内状態モニタ手段を備え、制御部は前記室内状態モニタ手段からの情報により、送風手段の風量を制御するようにしたものである。
【００１３】
この手段により、室内の状態と室内の人の居る場所や動作の種類を判断した上で吹出し気流のルーバー制御と風量制御を行うので使用環境に合わせた効率の良い集塵運転をおこなうことのできる空気清浄機が得られる。
【００１４】
また、本発明の空気清浄機は、室内状態モニタ手段として室内の広さを設定する畳数設定手段を備え、制御部は前記畳数設定手段の設定値によりΔＴを補正し、送風手段の風量を制御するようにしたものである。
【００１５】
この手段により、室内の広さと室内の人の居る場所や動作の種類を判断した上で吹出し気流のルーバー制御と風量制御を行うので使用環境に合わせた効率の良い集塵運転をおこなうことのできる空気清浄機が得られる。
【００１６】
また、本発明の空気清浄機は、室内状態モニタ手段として床面の状態を設定する床状態設定手段を備え、制御部は前記床状態設定手段の設定値により送風手段の風量を制御するようにしたものである。
【００１７】
この手段により、室内の床面の状態と室内の人の居る場所や動作の種類を判断した上で吹出し気流のルーバー制御と風量制御を行うので使用環境に合わせた効率の良い集塵運転をおこなうことのできる空気清浄機が得られる。
【００１８】
また、本発明の空気清浄機は、室内状態モニタ手段として室内の明るさを検出する照度センサを備え、制御部は前記照度センサの検出信号により人の動作の種類を判断し、送風手段の風量を制御するようにしたものである。
【００１９】
この手段により、室内の明るさと室内の人の居る場所や動作の種類を判断した上で吹出し気流のルーバー制御と風量制御を行うので使用環境に合わせた効率の良い集塵運転をおこなうことのできる空気清浄機が得られる。
【００２０】
また、本発明の空気清浄機は、制御部は照度センサの検出信号を明るさの変化から一定時間後に読み込み、人の動作の種類を判断し、送風手段の風量を制御するようにしたものである。
【００２１】
この手段により、一時的な室内の明るさ変化で人の動作の種類を判断することを防止できる空気清浄機が得られる。
【００２２】
また、本発明の空気清浄機は、熱起電力型温度センサの各検知エリアのΔＴを表示する表示部を備えるようにしたものである。
【００２３】
この手段により、使用者が空気清浄機のルーバー制御の運転状態を知ることができ、使い勝手のよい空気清浄機が得られる。
【００２４】
また、本発明の空気清浄機は、表示部の色は、少なくとも３つ以上で表示するようにしたものである。
【００２５】
この手段により、使用者が空気清浄機のルーバー制御の運転状態を知ることができ、使い勝手のよい空気清浄機が得られる。
【発明の効果】
【００２６】
本発明によれば、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段と、前記排気口から室内に排気される気流を制御するルーバーと、本体ケース周辺の温度を検出するサーミスタと、少なくとも４つ以上の検知エリアを有し各検知エリアの温度を計測する熱起電力型温度センサと、前記ルーバーの動作を制御する制御部を備えた空気清浄機において、前記制御部は前記熱起電力型温度センサの検知信号と前記サーミスタの検知信号とから温度差ΔＴを算出し、このΔＴから前記熱起電力型温度センサの検知エリア内の人の存在と動作の種類を判断し前記ルーバーの動作を制御するようにしたことにより、室内の人の居る場所や動作の種類を判断した上で吹出し気流のルーバー制御を行うので使用環境に合わせた効率の良い集塵運転をおこなうことのできる空気清浄機が得られる。
【図面の簡単な説明】
【００２７】
【図１】本発明の実施の形態１の空気清浄機の外観斜視図
【図２】同空気清浄機のブロック図
【図３】同空気清浄機のサーモパイルの検知エリア図
【図４】同空気清浄機のΔＴに対する動作の種類とルーバー動作の相関図
【図５】本発明の実施の形態２のブロック図
【図６】同空気清浄機の畳数に対するΔＴの補正値と風量の相関図
【図７】同空気清浄機の床面の状態に対する風量の相関図
【図８】同空気清浄機の照度センサに対する動作の種類と風量の相関図
【図９】本発明の実施の形態３のΔＴに対する表示内容を示す図
【図１０】従来の空気清浄機の外観斜視図
【図１１】同検知回数に対する運転風量の相関図
【発明を実施するための形態】
【００２８】
本発明の請求項１記載の空気清浄機は、吸気口と排気口を有する本体ケースと、この本体ケース内に設けた空気清浄手段と、前記吸気口から室内の空気を前記空気清浄手段を介して前記本体ケース内に吸気し、前記排気口より室内に排気する風路に送風手段と、前記排気口から室内に排気される気流を制御するルーバーと、本体ケース周辺の温度を検出するサーミスタと、少なくとも４つ以上の検知エリアを有し各検知エリアの温度を計測する熱起電力型温度センサと、前記ルーバーの動作を制御する制御部を備えた空気清浄機において、前記制御部は前記熱起電力型温度センサの検知信号と前記サーミスタの検知信号とから温度差ΔＴを算出し、このΔＴから前記熱起電力型温度センサの検知エリア内の人の存在と動作の種類を判断し前記ルーバーの動作を制御するようにしたものであり、室内の人の居る場所や動作の種類を判断した上で吹出し気流のルーバー制御を行うので使用環境に合わせた効率の良い集塵運転をおこなうことができるという効果を有する。
【００２９】
また、本発明の請求項２記載の空気清浄機は、室内の状態を検出する室内状態モニタ手段を備え、制御部は前記室内状態モニタ手段からの情報により、送風手段の風量を制御するようにしたものであり、室内の状態と室内の人の居る場所や動作の種類を判断した上で吹出し気流のルーバー制御と風量制御を行うので使用環境に合わせた効率の良い集塵運転をおこなうことができるという効果を有する。
【００３０】
また、本発明の請求項３記載の空気清浄機は、室内状態モニタ手段として室内の広さを設定する畳数設定手段を備え、制御部は前記畳数設定手段の設定値によりΔＴを補正し、送風手段の風量を制御するようにしたものであり、室内の広さと室内の人の居る場所や動作の種類を判断した上で吹出し気流のルーバー制御と風量制御を行うので使用環境に合わせた効率の良い集塵運転をおこなうことができるという効果を有する。
【００３１】
また、本発明の請求項４記載の空気清浄機は、室内状態モニタ手段として床面の状態を設定する床状態設定手段を備え、制御部は前記床状態設定手段の設定値により送風手段の風量を制御するようにしたものであり、室内の床面の状態と室内の人の居る場所や動作の種類を判断した上で吹出し気流のルーバー制御と風量制御を行うので使用環境に合わせた効率の良い集塵運転をおこなうことができるという効果を有する。
【００３２】
また、本発明の請求項５記載の空気清浄機は、室内状態モニタ手段として室内の明るさを検出する照度センサを備え、制御部は前記照度センサの検出信号により人の動作の種類を判断し、送風手段の風量を制御するようにしたものであり、室内の明るさと室内の人の居る場所や動作の種類を判断した上で吹出し気流のルーバー制御と風量制御を行うので使用環境に合わせた効率の良い集塵運転をおこなうことができるという効果を有する。
【００３３】
また、本発明の請求項６記載の空気清浄機は、制御部は照度センサの検出信号を明るさの変化から一定時間後に読み込み、人の動作の種類を判断し、送風手段の風量を制御するようにしたものであり、一時的な室内の明るさ変化で人の動作の種類を判断することを防止できるという効果を有する。
【００３４】
また、本発明の請求項７記載の空気清浄機は、熱起電力型温度センサの各検知エリアのΔＴを表示する表示部を備えるようにしたものであり、使用者が空気清浄機のルーバー制御の運転状態を知ることができ、使い勝手がよいという効果を有する。
【００３５】
また、本発明の請求項８記載の空気清浄機は、表示部の色は、少なくとも３つ以上で表示するようにしたものであり、使用者が空気清浄機のルーバー制御の運転状態を知ることができ、使い勝手がよいという効果を有する。
【００３６】
以下、本発明の実施の形態について図面を参照しながら説明する。
【００３７】
（実施の形態１）
図１に示すように、空気清浄機の本体１は略箱形に形成され、本体１の前側面に吸気口２と上部に排気口３を形成し、本体１内に空気を清浄化する空気浄化手段としてのフィルター４と、吸気口２から室内の空気を吸気しフィルター４を介して排気口３から室内に排気する送風手段としてのファンモーター５を備えている。また本体１上部に排気口３から室内に排気される気流を制御するルーバー６と、本体１側面に本体１周辺の温度を測定するサーミスタ７と、本体１前面に熱起電力型温度センサとしてのサーモパイルを設けている。また本体１内部に制御部としてのマイクロコンピュータ９を備えている。
【００３８】
また図３に示すように、サーモパイル８は４つの検知エリアＡ１０、検知エリアＢ１１、検知エリアＣ１２、検知エリアＤ１３を備えている。
【００３９】
上記構成において、図２と図４に示すようにサーミスタ７とサーモパイル８からの検知信号をマイクロコンピュータ９が演算処理し、温度差ΔＴを算出する。各検地エリア毎にΔＴを算出する。検知エリアＡ１０、検知エリアＢ１１、検知エリアＣ１２、検知エリアＤ１３のすべてにおいて、ΔＴが０℃の場合は人が居ないと判断し、動作の種類は該当せず、マイクロコンピュータ９はルーバー６動作の制御は閉じる動作（１）となる。４つの検知エリアのうち１つの検知エリアのみ０℃＜ΔＴ≦１０℃の場合、例えば検知エリアＡ１０のみ検知した場合は、人は居ると判断し動作の種類は静止レベルの動作と判断、ルーバー６動作の制御は検知した検知エリアＡ１０に向き、固定する動作（２）となる。４つの検知エリアのうち２つの検知エリアのみ０℃＜ΔＴ≦１０℃の場合、例えば検知エリアＡ１０と検知エリアＢ１１で検知した場合は、人は居ると判断し動作の種類は歩行レベルの動作と判断、ルーバー６動作の制御は検知した検知エリアＡ１０と検知エリアＢ１１の間に固定する動作（３）となる。４つの検知エリアのうち３つ以上の検知エリアで０℃＜ΔＴ≦１０℃の場合、例えばすべての検知エリアで検知した場合は、人は居ると判断し動作の種類は駈足レベルの動作と判断、ルーバー６動作の制御は検知した検知エリア間でスイングする動作（４）となる。また４つの検知エリアのうち１つの検知エリアのみ１０℃＜ΔＴの場合、例えば検知エリアＡ１０のみ検知した場合は、人は居ると判断し動作の種類は体操レベルの動作と判断、ルーバー６動作の制御は検知した検知エリアＡ１０に向き、検知エリアＡ１０内でスイングする動作（５）となる。４つの検知エリアのうち２つの検知エリアのみ１０℃＜ΔＴの場合、例えば検知エリアＡ１０と検知エリアＢ１１で検知した場合は、人は居ると判断し動作の種類は運動レベルの動作と判断、ルーバー６動作の制御は検知した検知エリアＡ１０と検知エリアＢ１１間でスイングする動作（６）となる。４つの検知エリアのうち３つ以上の検知エリアで１０℃＜ΔＴの場合、例えばすべての検知エリアで検知した場合は、人は居ると判断し動作の種類は掃除機をかけるレベルの動作と判断、ルーバー６動作の制御はルーバー６が駆動できる最大駆動範囲でスイングする動作（７）となる。
【００４０】
このように室内の人の居る場所や動作の種類を判断した上で吹出し気流のルーバー制御を行うので使用環境に合わせた効率の良い集塵運転をおこなうことができる。
【００４１】
（実施の形態２）
本実施の形態は前記実施の形態１と制御方法が異なるのみであり、同一構成のものは同一番号を付して詳しい説明は省略する。
【００４２】
図５に示すように、室内状態モニタ手段として室内の広さを設定する畳数設定手段１４と床面の状態を設定する床状態設定手段１５と、室内の明るさを検出する照度センサ１６を備えている。
【００４３】
上記構成において、図６に示すように畳数設定手段１４にて設定した畳数が６畳未満の場合は、マイクロコンピュータ９はサーミスタ７とサーモパイル８からの検知信号により算出したΔＴに−２℃を加える補正を行い算出する。６畳以上１２畳未満の場合は、ΔＴの補正値はゼロで算出し、１２畳以上の場合は、＋２℃を加える補正を行い算出する。さらに、マイクロコンピュータ９は補正を行い算出したΔＴにより判定されたルーバー６動作と室内の広さの畳数に応じて、ファンモーター５の風量を制御する。
【００４４】
また図７に示すように、床状態設定手段１５にて設定した床面の状態が畳の場合は、マイクロコンピュータ９はルーバー６動作が（１）の時に停止、（２）の時に弱ノッチ、（３）と（５）の時に中ノッチ、（４）と（６）の時に強ノッチ、（７）の時にターボノッチでファンモーター５の風量を制御する。
【００４５】
また図８に示すように、照度センサ１６にて検出した室内の明るさが明るい場合は、マイクロコンピュータ９は動作の種類を人が起きている時の動作と判断し、ファンモーター５の風量を制御する。検出した室内の明るさが暗い場合は、マイクロコンピュータ９は動作の種類を就寝時に発生する動作と判断し、ファンモーター５の風量を制御する。またマイクロコンピュータ９は照度センサ１６の検知信号に変化が発生してから一定時間の遅延、例えば５秒の読込み禁止期間を設け、５秒経過後に検知信号による制御を行う。
【００４６】
このように室内の広さと室内の人の居る場所や動作の種類を判断した上で吹出し気流のルーバー制御と風量制御を行うので使用環境に合わせた効率の良い集塵運転をおこなうことができる。
【００４７】
また室内の床面の状態と室内の人の居る場所や動作の種類を判断した上で吹出し気流のルーバー制御と風量制御を行うので使用環境に合わせた効率の良い集塵運転をおこなうことができる。
【００４８】
また室内の明るさと室内の人の居る場所や動作の種類を判断した上で吹出し気流のルーバー制御と風量制御を行うので使用環境に合わせた効率の良い集塵運転をおこなうことができる。
【００４９】
また一時的な室内の明るさ変化で人の動作の種類を判断することを防止できる。
【００５０】
（実施の形態３）
本実施の形態は前記実施の形態１あるいは２と制御方法が異なるのみであり、同一構成のものは同一番号を付して詳しい説明は省略する。
【００５１】
図９に示すように、検知エリア毎にΔＴを表示する表示部として７セグメントＬＥＤ、表示Ａ、表示Ｂ、表示Ｃ、表示Ｄを設け、ΔＴに応じて表示する色を青、橙、赤で表示する。
【００５２】
このように各検知エリアのΔＴを３色で表示するので、使用者が空気清浄機のルーバー制御の運転状態を知ることができる。
【産業上の利用可能性】
【００５３】
室内の人の居る場所や動作の種類を判断した上で吹出し気流のルーバー制御を行うことで使い勝手を向上させることができるので、加湿機や除湿機にも適用できる。
【符号の説明】
【００５４】
１    本体
２    吸気口
３    排気口
４    フィルター（空気浄化手段）
５    ファンモーター（送風手段）
６    ルーバー
７    サーミスタ
８    サーモパイル（熱起電力型温度センサ）
９    マイクロコンピュータ（制御部）
１０  検知エリアＡ
１１  検知エリアＢ
１２  検知エリアＣ
１３  検知エリアＤ
１４  畳数設定手段
１５  床状態設定手段
１６  照度センサ
【図１】
2012154526.tif 000003
【図２】
2012154526.tif 000004
【図３】
2012154526.tif 000005
【図４】
2012154526.tif 000006
【図５】
2012154526.tif 000007
【図６】
2012154526.tif 000008
【図７】
2012154526.tif 000009
【図８】
2012154526.tif 000010
【図９】
2012154526.tif 000011
【図１０】
2012154526.tif 000012
【図１１】
2012154526.tif 000013